(57)【特許請求の範囲】
【請求項１】
（Ａ）成分：アニオン界面活性剤と、
（Ｂ）成分：半極性界面活性剤と、
（Ｃ）成分：カチオン性抗菌剤と、を含有し、
前記（Ｃ）成分が、（Ｃ−１）成分：４級アンモニウム化合物、（Ｃ−２）成分：アミン化合物、（Ｃ−３）成分：ビグアニド化合物、及び（Ｃ−４）成分：ジアリルジアルキルアンモニウムの重合体から選択される少なくとも１種であることを特徴とする、繊維製品用の液体洗浄剤。
【請求項２】
（Ｂ）成分の含有量が、０．１〜８質量％であることを特徴とする、請求項１に記載の繊維製品用の液体洗浄剤。
【請求項３】
（Ｂ）成分／（Ａ）成分で表される質量比が、０．１〜３であることを特徴とする、請求項１又は請求項２に記載の繊維製品用の液体洗浄剤。
【請求項４】
界面活性剤の総含有量が、２５質量％以下であることを特徴とする、請求項１〜３のいずれか一項に記載の繊維製品用の液体洗浄剤。
【請求項５】
ｐＨが８以下であることを特徴とする、請求項１〜４のいずれか一項に記載の繊維製品用の液体洗浄剤。
【請求項６】
前記（Ｂ）成分は、下記一般式（ｂ１−２）で表される化合物であることを特徴とする、請求項１〜５のいずれか一項に記載の繊維製品用の液体洗浄剤。
【化１】
0006399704.tif 000017
［式中、Ｒ８は、炭素数７〜２２の直鎖状もしくは分岐鎖状のアルキル基、又は炭素数７〜２２の直鎖状もしくは分岐鎖状のアルケニル基である。Ｒ９及びＲ１０は、それぞれ独立して炭素数１〜３のアルキル基又は炭素数１〜３のヒドロキシアルキル基である。ｑは、１〜５の整数である。］
【発明の詳細な説明】
【技術分野】
【０００１】
本発明は、繊維製品用の液体洗浄剤に関する。
【背景技術】
【０００２】
衛生に対する意識の高まりから、繊維製品用の液体洗浄剤においても、洗浄効果に加えて抗菌効果を有する製品が上市されている。抗菌効果を発揮する有効成分としては、カチオン界面活性剤等のカチオン性抗菌剤が広く用いられている。
尚、本明細書において「抗菌効果」とは、菌の増殖を抑える効果を意味する。抗菌効果が高いほど、衣料等の被洗物を防臭する効果等が高くなる。
かかる抗菌効果を有する液体洗浄剤としては、例えば、アニオン界面活性剤と、ベタイン型両性界面活性剤と、カチオン性抗菌剤と、を含有する液体洗浄剤が開示されている（特許文献１参照）。
【先行技術文献】
【特許文献】
【０００３】
【特許文献１】特開２００１−１５２２００号公報
【発明の概要】
【発明が解決しようとする課題】
【０００４】
繊維製品用の液体洗浄剤においては、被洗物に付着した汚れに対する洗浄力が必要である。洗浄力の向上を図るため、カチオン性抗菌剤を含有する液体洗浄剤に、洗浄成分としてアニオン界面活性剤を配合すると、アニオン−カチオンコンプレックスが形成されて、カチオン性抗菌剤による抗菌効果が発揮されにくくなる、という問題がある。
本発明は、上記事情に鑑みてなされたものであり、洗浄力の向上が図られ、かつ、抗菌効果に優れた繊維製品用の液体洗浄剤を課題とする。
【課題を解決するための手段】
【０００５】
本発明者らは鋭意検討した結果、上記課題を解決するために以下の手段を提供する。
［１］（Ａ）成分：アニオン界面活性剤と、（Ｂ）成分：半極性界面活性剤と、（Ｃ）成分：カチオン性抗菌剤と、を含有することを特徴とする、繊維製品用の液体洗浄剤。
［２］（Ｂ）成分の含有量が、０．１〜８質量％であることを特徴とする、［１］に記載の繊維製品用の液体洗浄剤。
［３］（Ｂ）成分／（Ａ）成分で表される質量比が、０．１〜３であることを特徴とする、［１］又は［２］に記載の繊維製品用の液体洗浄剤。
［４］界面活性剤の総含有量が、２５質量％以下であることを特徴とする、［１］〜［３］のいずれか一項に記載の繊維製品用の液体洗浄剤。
［５］ｐＨが８以下であることを特徴とする、［１］〜［４］のいずれか一項に記載の繊維製品用の液体洗浄剤。
【発明の効果】
【０００６】
本発明の繊維製品用の液体洗浄剤によれば、洗浄力の向上が図られ、かつ、抗菌効果に優れる。
【発明を実施するための形態】
【０００７】
（繊維製品用の液体洗浄剤）
本発明の繊維製品用の液体洗浄剤（以下単に「液体洗浄剤」ともいう）は、（Ａ）成分：アニオン界面活性剤と、（Ｂ）成分：半極性界面活性剤と、（Ｃ）成分：カチオン性抗菌剤と、を含有する液体組成物である。かかる液体洗浄剤には、液体漂白剤も含まれる。
【０００８】
＜（Ａ）成分：アニオン界面活性剤＞
本発明の液体洗浄剤においては、（Ａ）成分を含有することで、被洗物に付着した汚れに対する洗浄力が向上し、洗浄効果が発揮される。特に、液体洗浄剤を被洗物に直接塗布して洗浄した際の、汚れに対する洗浄力が向上する。
（Ａ）成分としては、特に限定されず、繊維製品用の洗浄剤に通常用いられているアニオン界面活性剤が挙げられる。かかる（Ａ）成分としては、例えば、直鎖アルキルベンゼンスルホン酸塩；α−オレフィンスルホン酸塩；直鎖状又は分岐鎖状のアルキル硫酸エステル塩；アルキルエーテル硫酸エステル塩；アルケニルエーテル硫酸エステル塩；アルカンスルホン酸塩；α−スルホ脂肪酸エステル塩；脂肪酸塩、アルキルエーテルカルボン酸塩、ポリオキシアルキレンエーテルカルボン酸塩、アルキルアミドエーテルカルボン酸塩、アルケニルアミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
（Ａ）成分の塩形態としては、ナトリウム、カリウム等のアルカリ金属塩；マグネシウム等のアルカリ土類金属塩；モノエタノールアミン塩、ジエタノールアミン塩などのアルカノールアミン塩等が挙げられる。
【０００９】
上記のうち、直鎖アルキルベンゼンスルホン酸塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、炭素数１０〜２０の直鎖状もしくは分岐鎖状のアルキル基又はアルケニル基を有し、平均１〜１０モルのエチレンオキシドを付加したポリオキシエチレンアルキルエーテル硫酸エステル塩又はポリオキシエチレンアルケニルエーテル硫酸エステル塩が好ましい。
アルカンスルホン酸塩としては、好ましくは炭素数１０〜２０、より好ましくは炭素数１４〜１７のアルキル基を有する２級アルカンスルホン酸塩が好ましい。
α−スルホ脂肪酸エステル塩としては、炭素数１０〜２０のものが好ましい。
脂肪酸塩としては、炭素数１０〜２０のものが好ましい。
【００１０】
（Ａ）成分は、いずれか１種が単独で用いられてもよく、２種以上が併用されてもよい。
上記の中でも、（Ａ）成分としては、本発明の効果が得られやすいことから、直鎖アルキルベンゼンスルホン酸塩、アルカンスルホン酸塩、α−オレフィンスルホン酸塩、アルキルエーテル硫酸エステル塩及びアルケニルエーテル硫酸エステル塩からなる群より選択される少なくとも一種が好ましい。
（Ａ）成分には、液体洗浄剤の粘度を高められ、液体洗浄剤を被洗物に直接塗布するのに好適な粘度に調整しやすい点から、直鎖アルキルベンゼンスルホン酸塩（以下「（Ａ１）成分」ということがある）を少なくとも用いることが好ましい。
また、（Ａ）成分には、良好な液安定性が得られやすい点から、アルカンスルホン酸塩（以下「（Ａ２）成分」ということがある）を少なくとも用いることが好ましい。
これらの中でも、（Ａ）成分としては、（Ａ１）成分と、（Ａ２）成分、α−オレフィンスルホン酸塩、アルキルエーテル硫酸エステル塩及びアルケニルエーテル硫酸エステル塩からなる群より選択される少なくとも一種と、の組合せが好ましい。この中でも、液体洗浄剤を被洗物に直接塗布するのに好適な粘度と良好な液安定性とが得られやすい点から、（Ａ１）成分と（Ａ２）成分との組合せが特に好ましい。
【００１１】
（Ａ）成分に占める（Ａ１）成分の割合は、（Ａ１）成分／（Ａ）成分で表される質量比（以下「（Ａ１）／（Ａ）比」ともいう）で、０超０．５以下が好ましく、０．０５〜０．３がより好ましく、０．１〜０．２がさらに好ましい。
（Ａ）成分に占める（Ａ１）成分の割合が前記の好ましい範囲の下限以上であると、被洗物に付着した汚れに対する洗浄力がより向上すると同時に、液体洗浄剤の粘度が適度に高められやすくなる。一方、（Ａ）成分に占める（Ａ１）成分の割合が前記の好ましい範囲の上限以下であると、液体洗浄剤の液安定性が確保されやすくなる。
【００１２】
液体洗浄剤中、（Ａ）成分の含有量は、液体洗浄剤の総質量に対して、０．４〜７質量％が好ましく、０．５〜５．５質量％がより好ましく、１〜３質量％がさらに好ましく、１．５〜２質量％が特に好ましい。（Ａ）成分の含有量が前記の好ましい範囲の下限値以上であると、被洗物に付着した汚れに対する洗浄力がより向上する。一方、（Ａ）成分の含有量が前記の好ましい範囲の上限値以下であると、液体洗浄剤の液安定性が確保されやすくなる。
【００１３】
＜（Ｂ）成分：半極性界面活性剤＞
本発明の液体洗浄剤においては、（Ａ）成分及び（Ｃ）成分に加えて（Ｂ）成分を含有することで、洗浄性能と抗菌性能との両立が図られる。
本発明において、「半極性界面活性剤」とは、半極性結合（無極性結合と極性結合との中間の性質を有する結合）を有する界面活性剤であり、半極性界面活性剤が溶解する溶液又は分散する分散液のｐＨによって、カチオン性、アニオン性又は両極性を示すものをいう。
（Ｂ）成分としては、例えばアミンオキシド型界面活性剤が挙げられる。
好ましいアミンオキシド型界面活性剤としては、下記一般式（ｂ１）で表される化合物が挙げられる。
【００１４】
【化１】
0006399704.tif 000002
［式中、Ｒ１は、炭素数７〜２２の直鎖状もしくは分岐鎖状のアルキル基、又は炭素数７〜２２の直鎖状もしくは分岐鎖状のアルケニル基である。Ｘは、−ＣＯＮＨ−、−ＮＨＣＯ−、−ＣＯＯ−又は−ＯＣＯ−である。Ｒ２は、炭素数１〜５のアルキレン基である。Ｒ３及びＲ４は、それぞれ独立して炭素数１〜３のアルキル基又は炭素数１〜３のヒドロキシアルキル基である。ｐは、０又は１である。］
【００１５】
前記式（ｂ１）中、Ｒ１は、炭素数７〜２２の直鎖状もしくは分岐鎖状のアルキル基が好ましく、炭素数９〜１４の直鎖状もしくは分岐鎖状のアルキル基がより好ましい。
前記式（ｂ１）中、Ｘは、−ＣＯＮＨ−又は−ＮＨＣＯ−が好ましく、式（ｂ１）におけるＸ−Ｒ２が−ＣＯＮＨ−Ｒ２となるものがより好ましい。
前記式（ｂ１）中、Ｒ２は、炭素数１〜３のアルキレン基が好ましく、炭素数３のプロピレン基がより好ましい。
前記式（ｂ１）中、Ｒ３及びＲ４は、それぞれ独立して炭素数１〜３のアルキル基が好ましく、メチル基がより好ましい。中でも、Ｒ３及びＲ４は、いずれもメチル基であることがより好ましい。
前記式（ｂ１）中、ｐは、１が好ましい。
【００１６】
前記一般式（ｂ１）で表される化合物の中でも、下記の一般式（ｂ１−１）で表される化合物、又は一般式（ｂ１−２）で表される化合物が好ましい。
【００１７】
【化２】
0006399704.tif 000003
［式中、Ｒ５は、炭素数８〜１８の直鎖状もしくは分岐鎖状のアルキル基、又は炭素数８〜１８の直鎖状もしくは分岐鎖状のアルケニル基である。Ｒ６及びＲ７は、それぞれ独立して炭素数１〜３のアルキル基又は炭素数１〜３のヒドロキシアルキル基である。］
【００１８】
前記式（ｂ１−１）中、Ｒ５は、炭素数８〜１８の直鎖状もしくは分岐鎖状のアルキル基が好ましく、炭素数１０〜１４の直鎖状もしくは分岐鎖状のアルキル基がより好ましい。
前記式（ｂ１−１）中、Ｒ６及びＲ７は、それぞれ独立して炭素数１〜３のアルキル基が好ましく、メチル基がより好ましい。中でも、Ｒ６及びＲ７は、いずれもメチル基であることがより好ましい。
前記式（ｂ１−１）で表される化合物としては、例えば、カプリルジメチルアミンオキシド、ラウリルジメチルアミンオキシド、ミリスチルジメチルアミンオキシド、パルミチルジメチルアミンオキシド、ステアリルジメチルアミンオキシド、オレイルジメチルアミンオキシド、ヤシアルキルジメチルアミンオキシド、ラウリルジエチルアミンオキシド等が挙げられる。
【００１９】
【化３】
0006399704.tif 000004
［式中、Ｒ８は、炭素数７〜２２の直鎖状もしくは分岐鎖状のアルキル基、又は炭素数７〜２２の直鎖状もしくは分岐鎖状のアルケニル基である。Ｒ９及びＲ１０は、それぞれ独立して炭素数１〜３のアルキル基又は炭素数１〜３のヒドロキシアルキル基である。ｑは、１〜５の整数である。］
【００２０】
前記式（ｂ１−２）中、Ｒ８は、炭素数７〜２２の直鎖状もしくは分岐鎖状のアルキル基が好ましく、炭素数９〜１３の直鎖状もしくは分岐鎖状のアルキル基がより好ましい。
前記式（ｂ１−２）中、Ｒ９及びＲ１０は、それぞれ独立して炭素数１〜３のアルキル基が好ましく、メチル基がより好ましい。中でも、Ｒ９及びＲ１０は、いずれもメチル基であることがより好ましい。
前記式（ｂ１−２）中、ｑは、１〜３の整数が好ましく、３がより好ましい。
前記式（ｂ１−２）で表される化合物としては、例えば、カプリル酸アミドプロピルジメチルアミンオキシド、ラウリン酸アミドプロピルジメチルアミンオキシド、ミリスチン酸アミドプロピルジメチルアミンオキシド、パルミチン酸アミドプロピルジメチルアミンオキシド、ステアリン酸アミドプロピルジメチルアミンオキシド、ベヘニン酸アミドプロピルジメチルアミンオキシド、オレイン酸アミドプロピルジメチルアミンオキシド、ヤシ脂肪酸アミドプロピルジメチルアミンオキシド等が挙げられる。
【００２１】
（Ｂ）成分は、いずれか１種が単独で用いられてもよく、２種以上が併用されてもよい。
上記の中でも、（Ｂ）成分としては、本発明の効果が得られやすいことから、一般式（ｂ１−２）で表される化合物が特に好ましい。
液体洗浄剤中、（Ｂ）成分の含有量は、液体洗浄剤の総質量に対して、０．１〜８質量％が好ましく、０．２〜５質量％がより好ましく、０．３〜３質量％がさらに好ましく、０．５〜２質量％が特に好ましい。（Ｂ）成分の含有量が前記の好ましい範囲の下限値以上であると、被洗物に付着した汚れに対する洗浄力がより向上する。加えて、抗菌効果がより高まる。一方、（Ｂ）成分の含有量が前記の好ましい範囲の上限値以下であると、被洗物に付着した汚れに対する洗浄力がより向上する。また、液体洗浄剤の液安定性が確保されやすくなる。
【００２２】
液体洗剤中、（Ａ）成分と（Ｂ）成分との合計の含有量は、液体洗浄剤の総質量に対して、０．５〜１５質量％が好ましく、１〜６質量％がより好ましく、１．５〜４質量％がさらに好ましい。
（Ａ）成分と（Ｂ）成分との合計の含有量が前記の好ましい範囲の下限値以上であると、被洗物に付着した汚れに対する洗浄力がより向上する。一方、（Ａ）成分と（Ｂ）成分との合計の含有量が前記の好ましい範囲の上限値以下であると、液体洗浄剤の液安定性が確保されやすくなる。
【００２３】
本発明の液体洗浄剤において、（Ａ）成分の含有量に対する（Ｂ）成分の含有量の割合は、（Ｂ）成分／（Ａ）成分で表される質量比（以下「（Ｂ）／（Ａ）比」ともいう）で、０．１〜３が好ましく、０．２〜１．５がより好ましく、０．３〜１がさらに好ましい。
（Ｂ）／（Ａ）比が前記の好ましい範囲の下限値以上であると、被洗物に付着した汚れに対する洗浄力がより向上する。加えて、液体洗浄剤の液安定性が確保されやすくなる。一方、（Ｂ）／（Ａ）比が前記の好ましい範囲の上限値以下であると、被洗物に付着した汚れに対する洗浄力がより向上する。
【００２４】
特に、（Ｂ）／（Ａ）比が１以下である場合、液体洗浄剤中、（Ａ）成分の含有量は、０．５〜６質量％が好ましく、１〜３質量％がより好ましく、１．５〜２質量％がさらに好ましい。（Ａ）成分の含有量が前記の好ましい範囲の下限値以上であると、被洗物に付着した汚れに対する洗浄力がより向上する。一方、（Ａ）成分の含有量が前記の好ましい範囲の上限値以下であると、液体洗浄剤の液安定性が確保されやすくなる。
液体洗浄剤中、（Ｂ）成分の含有量は、０．１〜５質量％が好ましく、０．３〜３質量％がより好ましく、０．５〜２質量％がさらに好ましい。（Ｂ）成分の含有量が前記の好ましい範囲の下限値以上であると、被洗物に付着した汚れに対する洗浄力がより向上する。一方、（Ｂ）成分の含有量が前記の好ましい範囲の上限値以下であると、被洗物に付着した汚れに対する洗浄力がより向上する。また、液体洗浄剤の液安定性が確保されやすくなる。
【００２５】
特に、（Ｂ）／（Ａ）比が１を超える場合、液体洗浄剤中、（Ａ）成分の含有量は、０．５〜６質量％が好ましく、０．５〜３質量％がより好ましく、０．５〜２質量％がさらに好ましい。（Ａ）成分の含有量が前記の好ましい範囲の下限値以上であると、被洗物に付着した汚れに対する洗浄力がより向上する。一方、（Ａ）成分の含有量が前記の好ましい範囲の上限値以下であると、液体洗浄剤の液安定性が確保されやすくなる。
液体洗浄剤中、（Ｂ）成分の含有量は、０．５〜８質量％が好ましく、０．５〜５質量％がより好ましく、０．５〜３質量％がさらに好ましい。（Ｂ）成分の含有量が前記の好ましい範囲の下限値以上であると、被洗物に付着した汚れに対する洗浄力がより向上する。一方、（Ｂ）成分の含有量が前記の好ましい範囲の上限値以下であると、被洗物に付着した汚れに対する洗浄力がより向上する。また、液体洗浄剤の液安定性が確保されやすくなる。
【００２６】
＜（Ｃ）成分：カチオン性抗菌剤＞
本発明の液体洗浄剤においては、（Ｃ）成分を含有することで、被洗物において抗菌効果が発揮される。
（Ｃ）成分としては、例えば、４級アンモニウム化合物（以下「（Ｃ−１）成分」ということがある）、アミン化合物（以下「（Ｃ−２）成分」ということがある）、ビグアニド化合物（以下「（Ｃ−３）成分」ということがある）、ジアリルジアルキルアンモニウムの重合体（以下「（Ｃ−４）成分」ということがある）、ポリリジン又はその酸塩（以下「（Ｃ−５）成分」ということがある）が挙げられる。
【００２７】
≪（Ｃ−１）成分：４級アンモニウム化合物≫
好ましい（Ｃ−１）成分としては、下記一般式（ｃ−１−１）で表される、モノアルキル型又はジアルキル型カチオン界面活性剤（（Ｃ−１−１）成分）；下記一般式（ｃ−１−２）で表されるエチレンオキシド付加型４級アンモニウム塩（（Ｃ−１−２）成分）；下記一般式（ｃ−１−３）で表されるベンザルコニウム塩（（Ｃ−１−３）成分）；下記一般式（ｃ−１−４）で表されるピリジニウム塩（（Ｃ−１−４）成分）が挙げられる。
【００２８】
【化４】
0006399704.tif 000005
［式中、Ｒ２１〜Ｒ２４は、それぞれ独立して炭素数１〜３のアルキル基、炭素数１〜３のヒドロキシアルキル基、炭素数８〜２２の直鎖状もしくは分岐鎖状のアルキル基、又は炭素数８〜２２の直鎖状もしくは分岐鎖状のアルケニル基である。但し、Ｒ２１〜Ｒ２４のうちの少なくとも２つ以上が、それぞれ独立して炭素数１〜３のアルキル基及び／又は炭素数１〜３のヒドロキシアルキル基である。Ｚ１−は、ハロゲンイオン又はアルキル硫酸イオンである。］
【００２９】
前記式（ｃ−１−１）中、Ｒ２１〜Ｒ２４における、炭素数８〜２２のアルキル基又は炭素数８〜２２のアルケニル基は、好ましい炭素数が１０〜２１であり、より好ましい炭素数が１０〜１８であり、さらに好ましい炭素数が１０〜１６であり、特に好ましい炭素数が１２〜１４である。
前記式（ｃ−１−１）中、Ｚ１−におけるハロゲンイオンを構成するＺ１としては、フッ素原子、塩素原子、臭素原子、ヨウ素原子等が挙げられ、汎用性の点から、塩素原子が好ましい。Ｚ１−におけるアルキル硫酸イオンを構成するＺ１としては、炭素数１〜３のアルキル基を有するものが好ましく、例えばメチル硫酸等が挙げられる。
【００３０】
モノアルキル型カチオン界面活性剤として、好ましくは、Ｒ２１〜Ｒ２４のうち、３つが炭素数１〜３のアルキル基で、１つが炭素数８〜２２の直鎖状のアルキル基又は炭素数８〜２２の直鎖状のアルケニル基であり、Ｚ１−がハロゲンイオンである４級アンモニウム化合物が挙げられる。
この場合、かかる炭素数１〜３のアルキル基の中でも、メチル基が好ましい。かかるアルキル基又はアルケニル基の中でも、炭素数１０〜１８の直鎖状のアルキル基又は炭素数１０〜１８の直鎖状のアルケニル基が好ましく、炭素数１２〜１８の直鎖状のアルキル基又は炭素数１２〜１８の直鎖状のアルケニル基がより好ましく、炭素数１２〜１４の直鎖状のアルキル基又は炭素数１２〜１４の直鎖状のアルケニル基がさらに好ましい。Ｚ１−としては、ハロゲンイオンが好ましく、塩素イオンがより好ましい。
【００３１】
ジアルキル型カチオン界面活性剤として、好ましくは、Ｒ２１〜Ｒ２４のうち、２つが炭素数１〜３のアルキル基で、他の２つが炭素数１０〜２１の直鎖状のアルキル基又は炭素数１０〜２１の直鎖状のアルケニル基である４級アンモニウム化合物が挙げられる。
この場合、かかる炭素数１〜３のアルキル基の中でも、メチル基が好ましい。かかるアルキル基又はアルケニル基の中でも、炭素数１０〜１４の直鎖状のアルキル基又は炭素数１０〜１４の直鎖状のアルケニル基が好ましい。Ｚ１−としては、ハロゲンイオンが好ましく、塩素イオンがより好ましい。
【００３２】
（Ｃ−１−１）成分としては、ドデシルトリメチルアンモニウムクロリド、テトラデシルトリメチルアンモニウムクロリド、塩化ジデシルジメチルアンモニウム等が挙げられる。
【００３３】
【化５】
0006399704.tif 000006
［式中、Ｒ２５は、炭素数８〜２２のアルキル基、又は炭素数８〜２２のヒドロキシアルキル基である。Ｒ２６は、炭素数８〜２２のアルキル基、炭素数８〜２２のヒドロキシアルキル基、メチル基又はトリル基である。ｍ及びｎは、オキシエチレン基の平均繰り返し数を示し、ｍ＋ｎが２以上である。Ｚ２−は、ハロゲンイオン又はアルキル硫酸イオンである。］
【００３４】
前記式（ｃ−１−２）中、Ｒ２５におけるアルキル基又はヒドロキシアルキル基の炭素数は、それぞれ８〜２２であり、炭素数１０〜１８が好ましい。Ｒ２５としては、アルキル基が好ましく、直鎖状又は分岐鎖状のアルキル基がより好ましく、直鎖状のアルキル基がさらに好ましい。
Ｒ２６におけるアルキル基又はヒドロキシアルキル基の炭素数は、それぞれ８〜２２であり、炭素数１０〜１８が好ましい。Ｒ２６としては、中でもメチル基又はトリル基が好ましい。
ｍ＋ｎは、２以上であり、被洗物において抗菌効果がより発揮されやすいことから、２〜３０が好ましい。
前記式（ｃ−１−２）中、Ｚ２−におけるハロゲンイオンを構成するＺ２としては、フッ素原子、塩素原子、臭素原子、ヨウ素原子等が挙げられ、汎用性の点から、塩素原子が好ましい。Ｚ２−におけるアルキル硫酸イオンを構成するＺ２としては、炭素数１〜３のアルキル基を有するものが好ましく、例えばメチル硫酸等が挙げられる。
（Ｃ−１−２）成分の配合には、例えば、エソカードＣ／１２（商品名、ライオン・アクゾ株式会社製）等の市販品が用いられる。
【００３５】
【化６】
0006399704.tif 000007
［式中、Ｒ２７及びＲ２８は、それぞれ独立して炭素数１〜３のアルキル基又は炭素数１〜３のヒドロキシアルキル基である。Ｒ２９は、炭素数８〜２２の直鎖状もしくは分岐鎖状のアルキル基、又は炭素数８〜２２の直鎖状もしくは分岐鎖状のアルケニル基である。Ｒ３０は、炭素数１〜３のアルキレン基である。Ｚ３−は、ハロゲンイオン又はアルキル硫酸イオンである。］
【００３６】
前記式（ｃ−１−３）中、Ｒ２９におけるアルキル基又はアルケニル基の炭素数は、８〜２２であり、炭素数１０〜１８が好ましく、炭素数１０〜１６がより好ましく、炭素数１２〜１４がさらに好ましい。
前記式（ｃ−１−３）中、Ｚ３−におけるハロゲンイオンを構成するＺ３としては、フッ素原子、塩素原子、臭素原子、ヨウ素原子等が挙げられ、汎用性の点から、塩素原子が好ましい。Ｚ３−におけるアルキル硫酸イオンを構成するＺ３としては、炭素数１〜３のアルキル基を有するものが好ましく、例えばメチル硫酸等が挙げられる。
（Ｃ−１−３）成分としては、椰子アルキルジメチルベンジルアンモニウムクロライド等が挙げられる。（Ｃ−１−３）成分の配合には、例えば、アーカードＣＢ（商品名、ライオン・アクゾ株式会社製）、ハイアミン３５００−Ｊ（商品名、ロンザジャパン株式会社製）、オスバンＳ（商品名、日本製薬株式会社製）等の市販品が用いられる。
【００３７】
【化７】
0006399704.tif 000008
［式中、Ｒ２０は、炭素数８〜２２のアルキル基である。Ｚ４−は、ハロゲンイオン又はアルキル硫酸イオンである。］
【００３８】
前記式（ｃ−１−４）中、Ｒ２０におけるアルキル基の炭素数は、８〜２２であり、炭素数１０〜１８が好ましく、炭素数１２〜１６がより好ましい。Ｒ２０としては、直鎖状又は分岐鎖状のアルキル基が好ましく、直鎖状のアルキル基がより好ましい。
前記式（ｃ−１−４）中、Ｚ４−におけるハロゲンイオンを構成するＺ４としては、フッ素原子、塩素原子、臭素原子、ヨウ素原子等が挙げられ、汎用性の点から、塩素原子が好ましい。Ｚ４−におけるアルキル硫酸イオンを構成するＺ４としては、炭素数１〜３のアルキル基を有するものが好ましく、例えばメチル硫酸等が挙げられる。
（Ｃ−１−４）成分としては、塩化セチルピリジニウム等が挙げられる。塩化セチルピリジニウムの配合には、例えば、和光純薬工業株式会社等の市販品が用いられる。
【００３９】
≪（Ｃ−２）成分：アミン化合物≫
（Ｃ−２）成分としては、例えば、下記一般式（ｃ−２）で表されるアミン化合物が挙げられる。
【００４０】
【化８】
0006399704.tif 000009
［式中、ｓは１〜６の整数である。Ｒ３１は、炭素数８〜１８のアルキル基又は炭素数８〜１８のヒドロキシアルキル基である。Ｒ３２は、水素原子又は（ＣＨ２）ｔＮＨ２である。ｔは、１〜６の整数である。］
【００４１】
前記式（ｃ−２）中、ｓは、１〜６の整数であり、被洗物において抗菌効果がより発揮されやすいことから、１〜４の整数であることが好ましく、２〜４の整数であることがより好ましく、３が特に好ましい。ｓが６を超えると、充分な抗菌効果が得られにくい。
Ｒ３１におけるアルキル基又はヒドロキシアルキル基の炭素数は、８〜１８であり、炭素数８〜１４が好ましく、炭素数１０〜１４がより好ましく、炭素数１２がさらに好ましい。Ｒ３１における炭素数が前記の好ましい範囲の下限値未満では、充分な抗菌効果が得られにくくなり、前記の好ましい範囲の上限値を超えると、（Ｃ−２）成分の水への溶解性が低下しやすくなる。
Ｒ３１におけるアルキル基又はヒドロキシアルキル基は、直鎖状であってもよいし、分岐鎖状であってもよく、中でも直鎖状が好ましい。Ｒ３１が直鎖状であれば、液体洗浄剤の抗菌効果がより高められる。
【００４２】
好ましい（Ｃ−２）成分としては、下記一般式（ｃ−２−１）で表される３級アミン化合物（（Ｃ−２−１）成分）、下記一般式（ｃ−２−２）で表される２級アミン化合物（（Ｃ−２−２）成分）が挙げられる。
【００４３】
【化９】
0006399704.tif 000010
［式中、ｓ１は、１〜４の整数である。Ｒ３１１は、炭素数８〜１８のアルキル基又は炭素数８〜１８のヒドロキシアルキル基である。］
【００４４】
前記式（ｃ−２−１）中、ｓ１は、１〜４の整数であり、被洗物において抗菌効果がより発揮されやすいことから、２〜４の整数が好ましく、３が特に好ましい。
前記式（ｃ−２−１）中、Ｒ３１１は、前記式（ｃ−２）中のＲ３１と同様である。
（Ｃ−２−１）成分としては、Ｎ，Ｎ−ビス（３−アミノメチル）オクチルアミン、Ｎ，Ｎ−ビス（３−アミノメチル）デシルアミン、Ｎ，Ｎ−ビス（３−アミノメチル）ドデシルアミン等のＮ，Ｎ−ビス（３−アミノメチル）アルキルアミン；Ｎ，Ｎ−ビス（３−アミノエチル）オクチルアミン、Ｎ，Ｎ−ビス（３−アミノエチル）デシルアミン、Ｎ，Ｎ−ビス（３−アミノエチル）ドデシルアミン等のＮ，Ｎ−ビス（３−アミノエチル）アルキルアミン；Ｎ，Ｎ−ビス（３−アミノプロピル）オクチルアミン、Ｎ，Ｎ−ビス（３−アミノプロピル）デシルアミン、Ｎ，Ｎ−ビス（３−アミノプロピル）ドデシルアミン等のＮ，Ｎ−ビス（３−アミノプロピル）アルキルアミン；Ｎ，Ｎ−ビス（３−アミノブチル）オクチルアミン、Ｎ，Ｎ−ビス（３−アミノブチル）デシルアミン、Ｎ，Ｎ−ビス（３−アミノブチル）ドデシルアミン等のＮ，Ｎ−ビス（３−アミノブチル）アルキルアミン等が挙げられる。
これらの中でも、Ｎ，Ｎ−ビス（３−アミノプロピル）アルキルアミンが好ましく、Ｎ，Ｎ−ビス（３−アミノプロピル）ドデシルアミンがより好ましい。
【００４５】
【化１０】
0006399704.tif 000011
［式中、ｓ２は、１〜４の整数である。Ｒ３１２は、炭素数８〜１４のアルキル基又は炭素数８〜１４のヒドロキシアルキル基である。］
【００４６】
前記式（ｃ−２−２）中、ｓ２は、１〜４の整数であり、被洗物において抗菌効果がより発揮されやすいことから、２〜４の整数が好ましく、３が特に好ましい。
前記式（ｃ−２−２）中、Ｒ３１２におけるアルキル基又はヒドロキシアルキル基は、直鎖状であってもよいし、分岐鎖状であってもよく、中でも直鎖状が好ましい。Ｒ３１２が直鎖状であれば、液体洗浄剤の抗菌効果がより高められる。
（Ｃ−２−２）成分としては、Ｎ−ヤシアルキル−１，３−ジアミノプロパン、Ｎ−牛脂アルキル−１，３−ジアミノプロパン、Ｎ−硬化牛脂アルキル−１，３−ジアミノプロパン等が挙げられる。
Ｎ−ヤシアルキル−１，３−ジアミノプロパンの配合には、例えば、デュオミンＣＤ（商品名、ライオン・アクゾ株式会社製）等の市販品が用いられる。
【００４７】
≪（Ｃ−３）成分：ビグアニド化合物≫
（Ｃ−３）成分としては、例えば、下記一般式（ｃ−３）で表されるビグアニド化合物が挙げられる。
【００４８】
【化１１】
0006399704.tif 000012
［式中、ｕ１は、２〜１４の整数である。ＨＲ３３は、有機酸又は無機酸である。ｕ２は、ＨＲ３３の個数を意味し、０〜５ｕ１の整数である。］
【００４９】
前記式（ｃ−３）中、ｕ１は、２〜１４の整数であり、１０〜１４の整数が好ましく、１１〜１３の整数がより好ましく、１２が特に好ましい。
前記式（ｃ−３）中、ＨＲ３３は、有機酸又は無機酸であり、塩酸、グルコン酸、酢酸が好ましく、塩酸がより好ましい。
ｕ２は、０〜５ｕ１の整数である。ｕ２が０の場合、（Ｃ−３）成分は、ポリヘキサメチレンビグアニドである。ｕ２が０でない場合、（Ｃ−３）成分は、ポリヘキサメチレンビグアニドの部分酸塩又は全部酸塩である。ｕ２は、１〜５ｕ１の整数が好ましく、２〜３ｕ１の整数がより好ましく、ｕ１〜２ｕ１の整数がさらに好ましく、ｕ１が特に好ましい。
（Ｃ−３）成分としては、ポリ（ヘキサメチレンビグアニド）塩酸塩などが挙げられる。ポリ（ヘキサメチレンビグアニド）塩酸塩の配合には、例えば、Ｐｒｏｘｅｌ  ＩＢ（商品名、ロンザジャパン株式会社製；前記式（ｃ−３）中のｕ１及びｕ２がいずれも１２、Ｒ３３が塩素原子（ＨＲ３３が塩酸）であるもの）等の市販品が用いられる。
【００５０】
≪（Ｃ−４）成分：ジアリルジアルキルアンモニウムの重合体≫
（Ｃ−４）成分としては、例えば、下記一般式（ｃ−４）で表されるジアリルジアルキルアンモニウムの繰り返し単位を有する重合体が挙げられる。
【００５１】
【化１２】
0006399704.tif 000013
［式中、Ｒ３４及びＲ３５は、それぞれ独立して炭素数１〜３のアルキル基である。Ｚ５−は、ハロゲンイオン又はアルキル硫酸イオンである。ｗは平均重合度を示す。］
【００５２】
前記式（ｃ−４）中、Ｒ３４及びＲ３５は、それぞれ独立して炭素数１〜３のアルキル基であり、メチル基が好ましい。
前記式（ｃ−４）中、Ｚ５−におけるハロゲンイオンを構成するＺ５としては、フッ素原子、塩素原子、臭素原子、ヨウ素原子等が挙げられ、汎用性の点から、塩素原子が好ましい。Ｚ５−におけるアルキル硫酸イオンを構成するＺ５としては、炭素数１〜３のアルキル基を有するものが好ましく、例えばメチル硫酸等が挙げられる。
前記式（ｃ−４）中、ｗは、平均重合度を示し、６〜６０００程度が好ましく、６０〜１２００程度がより好ましい。
【００５３】
（Ｃ−４）成分の分子量は、１０００〜１００００００が好ましく、１００００〜２０００００がより好ましい。（Ｃ−４）成分の分子量が前記の好ましい範囲内であれば、良好な抗菌効果が得られやすくなる。
ここでいう「分子量」は、重量平均分子量を意味し、溶媒としてＴＨＦ（テトラヒドロフラン）を用いてＧＰＣ（ゲルパーミネーションクロマトグラフィー）により測定された値を、ＰＥＧ（ポリエチレングリコール）における較正曲線に基づいて換算した値を示す。
（Ｃ−４）成分の配合には、例えば、マーコート１００（商品名、ナルコ社製）；ＰＡＳ−Ｈ−１Ｌ、ＰＡＳ−Ｈ−５Ｌ、ＰＡＳ−Ｈ−１０Ｌ（以上、商品名、日東紡績株式会社製）等の市販品が用いられる。
【００５４】
≪（Ｃ−５）成分：ポリリジン又はその酸塩≫
（Ｃ−５）成分としては、α−ポリ−Ｌ−リジン、ε−ポリ−Ｌ−リジン、α−ポリ−Ｄ−リジン、ε−ポリ−Ｄ−リジンのいずれも用いることができる。これらの中でも、安全性の面から、α−ポリ−Ｌ−リジン、ε−ポリ−Ｌ−リジンが好ましく、ε−ポリ−Ｌ−リジンがより好ましい。その中でも、安全性の面から、下記一般式（ｃ−５）で表されるε−ポリ−Ｌ−リジンが特に好ましい。
【００５５】
【化１３】
0006399704.tif 000014
［式中、ｒは５〜１００の整数である。］
【００５６】
前記式（ｃ−５）中、ｒは、５〜１００の整数であり、１０〜５０の整数が好ましく、１３〜２７の整数がより好ましい。
【００５７】
ε−ポリ−Ｌ−リジンは、ストレプトマイセス（Ｓｔｒｅｐｔｏｍｙｃｅｓ）属の微生物を培養することによって得られ、人体にとって必須アミノ酸であるリジンが縮合してできたポリペプチドである。このポリリジンは、体内の酵素等で加水分解されると元の構成成分であるＬ−リジンになるため、安全性が非常に高い。
【００５８】
ポリリジンとしては、遊離状のもの、及び、無機酸もしくは有機酸の酸塩の形態のもののいずれも用いることができる。
酸塩の形態の場合、好ましくは塩酸塩、グルコン酸塩、酢酸塩であり、より好ましくは塩酸塩である。
また、取り扱いを容易にするために、ポリリジンが賦形剤や増量剤で加工されたものを用いてもよい。
【００５９】
（Ｃ）成分は、いずれか１種が単独で用いられてもよく、２種以上が併用されてもよい。
（Ｃ）成分としては、本発明の効果が得られやすいことから、（Ｃ−１）成分、（Ｃ−２）成分、（Ｃ−３）成分、（Ｃ−４）成分及び（Ｃ−５）成分からなる群より選択される少なくとも一種が好ましい。これらの中でも、（Ｃ−１）成分及び（Ｃ−３）成分からなる群より選択される少なくとも一種がより好ましく、（Ｃ−３）成分が特に好ましい。
液体洗浄剤中、（Ｃ）成分の含有量は、液体洗浄剤の総質量に対して、０．００１〜２質量％が好ましく、０．００５〜１質量％がより好ましく、０．０１〜０．５質量％がさらに好ましく、０．０２〜０．１質量％が特に好ましい。（Ｃ）成分の含有量が前記の好ましい範囲の下限値以上であると、被洗物において抗菌効果がより高まる。一方、（Ｃ）成分の含有量が前記の好ましい範囲の上限値以下であると、液体洗浄剤の液安定性が確保されやすくなる。
【００６０】
本発明の液体洗浄剤において、（Ａ）成分の含有量に対する（Ｃ）成分の含有量の割合は、（Ｃ）成分／（Ａ）成分で表される質量比（以下「（Ｃ）／（Ａ）比」ともいう）で、０．００３〜０．６が好ましく、０．００５〜０．３がより好ましく、０．００５〜０．１がさらに好ましい。
（Ｃ）／（Ａ）比が前記の好ましい範囲の下限値以上であると、被洗物において抗菌効果がより高まる。一方、（Ｃ）／（Ａ）比が前記の好ましい範囲の上限値以下であると、液体洗浄剤の液安定性が確保されやすくなる。
【００６１】
本発明の液体洗浄剤において、（Ｂ）成分の含有量に対する（Ｃ）成分の含有量の割合は、（Ｃ）成分／（Ｂ）成分で表される質量比（以下「（Ｃ）／（Ｂ）比」ともいう）で、０．００１〜０．５が好ましく、０．０１〜０．３がより好ましく、０．０５〜０．２がさらに好ましい。
（Ｃ）／（Ｂ）比が前記の好ましい範囲の下限値以上であると、被洗物において抗菌効果がより高まる。一方、（Ｃ）／（Ｂ）比が前記の好ましい範囲の上限値以下であると、液体洗浄剤の液安定性が確保されやすくなる。
【００６２】
＜溶媒＞
本発明の液体洗浄剤は、製造時のハンドリングのし易さ、使用する際の水への溶解性等の観点から、溶媒として水を含有することが好ましい。
液体洗浄剤中、水の含有量は、特に限定されないが、液体洗浄剤の総質量に対して、７０質量％以上が好ましく、８０質量％以上がより好ましく、８０〜９５質量％がさらに好ましい。  
【００６３】
＜任意成分＞
本発明の液体洗浄剤は、上記（Ａ）〜（Ｃ）成分以外に、液体洗浄剤に通常用いられている成分（任意成分）を含有してもよい。
かかる任意成分としては、例えば、（Ａ）〜（Ｃ）成分以外の界面活性剤、過酸化水素、漂白活性化剤、キレート剤、ラジカルトラップ剤、ハイドロトロープ剤、無機塩類、ホウ酸化合物、ポリオール化合物、香料、ｐＨ調整剤などが挙げられる。
【００６４】
≪界面活性剤≫
（Ａ）〜（Ｃ）成分以外の界面活性剤としては、ノニオン界面活性剤（以下「（Ｄ）成分」ということがある）、両性界面活性剤などが挙げられる。
本発明の液体洗浄剤においては、液体洗浄剤の洗浄力及び液安定性がより向上することから、さらに（Ｄ）成分を含有することが好ましい。
（Ｄ）成分における疎水性部分（長鎖炭化水素基）の炭素数は、（Ｄ）成分の配合効果が発揮されやすいことから、好ましくは８〜２２であり、より好ましくは１０〜１８であり、さらに好ましくは１０〜１６であり、特に好ましくは１２〜１４である。
（Ｄ）成分としては、例えば高級アルコール、アルキルフェノール、高級脂肪酸、高級脂肪酸アルキルエステル又は高級アミン等にアルキレンオキシドを付加したポリオキシアルキレン型ノニオン界面活性剤；ポリオキシエチレンポリオキシプロピレンブロックコポリマー；脂肪酸アルカノールアミン；脂肪酸アルカノールアミド；多価アルコール脂肪酸エステル又はそのアルキレンオキシド付加体；硬化ヒマシ油のアルキレンオキシド付加体；糖脂肪酸エステル；Ｎ−アルキルポリヒドロキシ脂肪酸アミド；アルキルグリコシド等が挙げられる。
（Ｄ）成分は、いずれか１種が単独で用いられてもよく、２種以上が併用されてもよい。上記の中でも、（Ｄ）成分としては、ポリオキシアルキレン型ノニオン界面活性剤が好ましく、高級アルコールにアルキレンオキシドを付加したポリオキシアルキレン型ノニオン界面活性剤がより好ましい。
本発明の液体洗浄剤がノニオン界面活性剤を含有する場合、液体洗浄剤中、（Ｄ）成分の含有量は、液体洗浄剤の総質量に対して、０質量％超１５質量％以下が好ましく、０．５〜１２質量％がより好ましく、１〜１０質量％がさらに好ましい。（Ｄ）成分の含有量が前記の好ましい上限値以下であると、本発明の効果が顕著に現れやすくなる。一方、（Ｄ）成分の含有量が前記の好ましい下限値以上であると、洗浄力及び液安定性がより向上する。
【００６５】
両性界面活性剤としては、アルキルベタイン型、アルキルアミドベタイン型、イミダゾリン型、アルキルアミノスルホン酸型、アルキルアミノカルボン酸型、アルキルアミドカルボン酸型、アミドアミノ酸型又はリン酸型等の両性界面活性剤が挙げられる。
【００６６】
本発明の液体洗浄剤においては、界面活性剤の総含有量が、液体洗浄剤の総質量に対して、２５質量％以下であることが好ましく、２０質量％以下であることがより好ましく、１５質量％以下であることがさらに好ましく、下限値は、６質量％以上であることが好ましい。  
かかる液体洗浄剤は、上記の（Ａ）成分と（Ｂ）成分と（Ｃ）成分とを併有することで、界面活性剤の総含有量を前記の好ましい上限値以下とした場合であっても、良好な抗菌効果及び洗浄効果が共に得られる。
【００６７】
本発明の液体洗浄剤が（Ｄ）成分を含有する場合、液体洗浄剤中、界面活性剤の総含有量に対する、（Ｄ）成分の含有量の割合は、４０〜８０質量％が好ましく、５０〜７５質量％がより好ましく、６０〜７０質量％がさらに好ましい。
界面活性剤の総含有量に対する（Ｄ）成分の含有量の割合が前記の好ましい範囲であると、被洗物に付着した汚れに対する洗浄力がより向上する。加えて、液安定性がより向上する。
【００６８】
≪過酸化水素≫
本発明の液体洗浄剤は、過酸化水素を含有してもよい。液体洗浄剤が過酸化水素を含有することで、漂白効果が発揮される。
本発明の液体洗浄剤が過酸化水素を含有する場合、液体洗浄剤中、過酸化水素の含有量は、液体洗浄剤の総質量に対して、０．１〜１０質量％が好ましく、０．５〜６質量％がより好ましく、１〜６質量％がさらに好ましい。過酸化水素の含有量が前記の好ましい範囲の下限値以上であると、良好な漂白効果が得られやすくなる。過酸化水素の含有量が前記の好ましい範囲の上限値以下であると、液体洗浄剤の液安定性がより向上する。
【００６９】
ｐＨ調整剤としては、例えば、塩酸、硫酸、リン酸、水酸化ナトリウム、水酸化カリウム、モノエタノールアミン、ジエタノールアミン、トリエタノールアミン、アンモニア等が挙げられる。
【００７０】
本発明の液体洗浄剤の２５℃でのｐＨは、８以下が好ましく、ｐＨ４〜７がより好ましく、ｐＨ５〜６がさらに好ましい。
液体洗浄剤のｐＨが前記の好ましい範囲の上限値以下であると、本発明の効果がより得られやすくなる。加えて、適度な粘度を有する液体洗浄剤が調製されやすい。一方、液体洗浄剤のｐＨが前記の好ましい範囲の下限値以上であると、液安定性が確保されやすくなる。
尚、本発明における液体洗浄剤の２５℃でのｐＨは、試料を２５℃に調整し、ｐＨメーター等によって測定される値を示す。
【００７１】
本発明の液体洗浄剤の２５℃での粘度は、１０〜３００ｍＰａ・ｓ程度が好ましく、２５〜３００ｍＰａ・ｓ程度がより好ましい。
液体洗浄剤の粘度が前記の好ましい範囲内であれば、液体洗浄剤を計量キャップ等で計り取りやすくなる。また、液体洗浄剤を被洗物に直接塗布して洗浄する際、液体洗浄剤を被洗物に塗布しやすくなる。
尚、本発明における液体洗浄剤の２５℃での粘度は、試料を２５℃に調整し、Ｂ型粘度計（ＴＯＫＩＭＥＣ社製）を用いて測定される値を示す（測定条件の一例：ロータＮｏ．２、回転数３０ｒｐｍ、１０回転後の粘度を測定する）。
【００７２】
本発明の液体洗浄剤は、例えば、上記の（Ａ）成分と（Ｂ）成分と（Ｃ）成分と必要に応じて任意成分とを、溶媒である水に溶解し、ｐＨ調整剤を用いて所定のｐＨに調整することによって製造できる。
【００７３】
本発明の液体洗浄剤は、一般的に用いられている容器に収容できる。かかる容器としては、例えば、計量キャップを備えたノズル型容器又は中栓型容器、自動計量機構もしくは簡易計量機構を備えたスクイズ容器又はポンプ容器、液を吹きかけるもしくは泡状に塗布するトリガー容器又はスクイズ容器、液を塗りつける塗布面を持った塗布容器、詰め替え容器（パウチ、薄肉ボトル、付け替えボトル等）等が挙げられる。
【００７４】
本発明の液体洗浄剤の使用方法は、例えば、液体洗浄剤を洗濯時に被洗物と一緒に水に投入する方法、液体洗浄剤を予め水に溶解して調製される洗浄剤水溶液に被洗物を浸漬する方法等が挙げられる。また、液体洗浄剤を被洗物に直接塗布して一定時間放置し、その後、通常の洗濯を行ってもよい（塗布洗浄）。本発明の液体洗浄剤は、前記の塗布洗浄において、高い洗浄力を示し、良好な洗浄効果が発揮される。かかる液体洗浄剤は、特に固体脂汚れに対して高い洗浄力を示す。
本発明の液体洗浄剤の洗浄対象である被洗物としては、特に限定されないが、例えば衣料、布帛、カーテン、シーツ等が挙げられる。
【００７５】
以上、説明したとおり、本発明の繊維製品用の液体洗浄剤は、（Ａ）成分：アニオン界面活性剤と、（Ｂ）成分：半極性界面活性剤と、（Ｃ）成分：カチオン性抗菌剤と、が組み合わされているため、洗浄力の向上が図られる。加えて、洗濯後の繊維製品において優れた抗菌効果が発揮される。
【実施例】
【００７６】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。
【００７７】
＜（Ａ）成分：アニオン界面活性剤＞
Ａ−１：直鎖アルキル（炭素数１０〜１４）ベンゼンスルホン酸ナトリウム、ライオン株式会社製、商品名「ライポンＬＳ２５０」。
Ａ−２：２級アルカンスルホン酸ナトリウム、クラリアントジャパン株式会社製、商品名「ＳＡＳ３０」。
Ａ−３：α−オレフィンスルホン酸ナトリウム、ライオン株式会社製、商品名「リポランＬＢ−８４０」。
Ａ−４：ポリオキシエチレンアルキルエーテル硫酸ナトリウム（エチレンオキシドの平均付加モル数１）、新日本理化株式会社製、商品名「シノリン１１５０」。
Ａ−５：ヤシ脂肪酸ナトリウム。ヤシ脂肪酸（日油株式会社製、商品名「椰子脂肪酸」）が水酸化ナトリウムで中和されたもの。
【００７８】
＜（Ｂ）成分：半極性界面活性剤＞
Ｂ−１：ラウリン酸アミドプロピルジメチルアミンオキシド、クラリアント社製、商品名「ＧＥＮＡＭＩＮＯＸ  ＡＰ」；一般式（ｂ１−２）におけるＲ８＝炭素数１１の直鎖状アルキル基、Ｒ９＝メチル基、Ｒ１０＝メチル基、ｑ＝３。
Ｂ−２：ｎ−ドデシルジメチルアミンオキシド、ライオン・アクゾ株式会社製、商品名「アロモックスＤＭ１２Ｄ−Ｗ」；一般式（ｂ１−１）におけるＲ５＝炭素数１２の直鎖状アルキル基、Ｒ６＝メチル基、Ｒ７＝メチル基。
【００７９】
＜（Ｂ’）成分：（Ｂ）成分の比較成分＞
Ｂ’−１：ラウリルジメチルアミノ酢酸ベタイン、第一工業製薬株式会社製、商品名「アミーゲンＳ」。
【００８０】
＜（Ｃ）成分：カチオン性抗菌剤＞
Ｃ−１：ポリヘキサメチレンビグアニド、ロンザジャパン株式会社製、商品名「Ｐｒｏｘｅｌ  ＩＢ」；一般式（ｃ−３）におけるｕ１＝ｕ２＝１２、Ｒ３３が塩素原子。
Ｃ−２：ドデシルトリメチルアンモニウムクロリド、ライオン・スペシャリティケミカルズ株式会社製、商品名「アーカード１２−３７Ｗ」；一般式（ｃ−１−１）におけるＲ２１＝炭素数１２の直鎖状のアルキル基、Ｒ２２＝メチル基、Ｒ２３＝メチル基、Ｒ２４＝メチル基、Ｚ１−＝塩素イオン。
Ｃ−３：テトラデシルトリメチルアンモニウムクロリド、東京化成工業株式会社製；一般式（ｃ−１−１）におけるＲ２１＝炭素数１４の直鎖状のアルキル基、Ｒ２２＝メチル基、Ｒ２３＝メチル基、Ｒ２４＝メチル基、Ｚ１−＝塩素イオン。
【００８１】
＜任意成分＞
・過酸化水素、３５％工業用過酸化水素、三菱ガス化学株式会社製。
・ノニオン界面活性剤：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの、ライオン株式会社製、商品名「レオックスＣＬ−６０」。
・ｐＨ調整剤：硫酸（東邦亜鉛株式会社製）、水酸化ナトリウム（鶴見曹達株式会社製）。
【００８２】
溶媒：精製水。
【００８３】
［繊維製品用の液体洗浄剤の製造］
表１〜２に、各例の液体洗浄剤の組成（配合成分、含有量（質量％））を示す。
表中、空欄の配合成分がある場合、その配合成分は配合されていない。
表中、配合成分の含有量は純分換算量を示す。
ｐＨ調整剤の含有量を示す「適量」とは、液体洗浄剤のｐＨ（２５℃）を、表中のｐＨ値に調整するために添加されたｐＨ調整剤（硫酸又は水酸化ナトリウム）の総添加量を示す。
精製水の含有量を示す「バランス」は、液体洗浄剤に含まれる全配合成分の合計の配合量（質量％）が１００質量％となるように加えられた残部を意味する。
【００８４】
「Ａ−１／（Ａ）成分」は、液体洗浄剤に含まれる（Ａ）成分の含有量（質量％）に対する、Ａ−１の含有量（質量％）の割合を意味する。
「（Ｂ）成分／（Ａ）成分」は、液体洗浄剤に含まれる（Ａ）成分の含有量（質量％）に対する、（Ｂ）成分の含有量（質量％）の割合を意味する。
「（Ｃ）成分／（Ａ）成分」は、液体洗浄剤に含まれる（Ａ）成分の含有量（質量％）に対する、（Ｃ）成分の含有量（質量％）の割合を意味する。
「（Ｃ）成分／（Ｂ）成分」は、液体洗浄剤に含まれる（Ｂ）成分の含有量（質量％）に対する、（Ｃ）成分の含有量（質量％）の割合を意味する。
【００８５】
（実施例１〜２１）
表１〜２に示す組成に従い、（Ａ）成分と、任意成分（ｐＨ調整剤を除く）と、を精製水に加えて混合し、ここにｐＨ調整剤を添加して、ｐＨ５に調整された混合物を得た。次いで、この混合物に（Ｂ）成分と（Ｃ）成分とを加えて混合し、ここにｐＨ調整剤を添加して、表中のｐＨ値に調整し、各例の液体洗浄剤をそれぞれ製造した。
【００８６】
（比較例１、３、４）
表２に示す組成に従い、（Ａ）〜（Ｃ）成分のいずれか１つを精製水に加えなかったこと以外は、上記実施例と同様にして、比較例１、３、４の液体洗浄剤をそれぞれ製造した。
【００８７】
（比較例２）
表２に示す組成に従い、（Ｂ）成分を（Ｂ’）成分に変更した以外は、上記実施例と同様にして、比較例２の液体洗浄剤を製造した。
【００８８】
各例の液体洗浄剤について、洗浄力及び抗菌効果を以下のようにしてそれぞれ評価した。その評価結果を表１〜２に示す。
【００８９】
［洗浄力の評価］
（１）油汚れ汚垢布の作製
牛脂をクロロホルムで５倍に希釈した牛脂溶液を調製した。
該牛脂溶液に０．０１質量％のオイルレッドを添加したもの０．０３０ｍＬを、５ｃｍ×５ｃｍに裁断したポリエステルトロピカル布（谷頭商店）に滴下し、室温にて２〜３時間風乾したものを油汚れ汚垢布とした。
（２）洗浄試験
油汚れ汚垢布５枚のそれぞれに対し、同じ液体洗浄剤を０．１２ｍＬずつ塗布し、５分間静置した。
次いで、１５℃の水道水９００ｍＬを入れたＴｅｒｇ−Ｏ−Ｔｏｍｅｔｅｒ（ＵＮＩＴＥＤ  ＳＴＡＴＥＳ  ＴＥＳＴＩＮＧ社製）に、油汚れ汚垢布５枚を入れ、１２０ｒｐｍで１０分間洗浄した（浴比２０倍）。
その後、洗浄後の油汚れ汚垢布５枚を取り出し、該油汚れ汚垢布に対して、２槽式洗濯機（三菱電機株式会社製、ＣＷ−Ｃ３０Ａ１型）で流水すすぎ３分間を行い、次いで脱水１分間を行った後、風乾した。
（３）洗浄力の評価
測色色差計（日本電色社製、商品名ＳＥ２０００） を用い、汚れ付着前の原布（ポリエステルトロピカル布）、及び、洗浄試験前後の油汚れ汚垢布についてのＺ値をそれぞれ測定し、下式より洗浄率を算出した。この洗浄率の値が大きいほど、塗布洗浄力が高いこと、を意味する。
洗浄率（％）＝（洗浄後の油汚れ汚垢布のＺ値−洗浄前の油汚れ汚垢布のＺ値）／（原布のＺ値−洗浄前の油汚れ汚垢布のＺ値）×１００
そして、５枚の油汚れ汚垢布について算出した洗浄率の平均値を指標として、下記の評価基準に従い、洗浄力の評価を行った。
評価基準
◎：洗浄率の平均値が３０％超。
○：洗浄率の平均値が２０％以上３０％未満。
△：洗浄率の平均値が１０％以上２０％未満。
×：洗浄率の平均値が１０％未満。
【００９０】
［抗菌効果の評価］
水を溜めた全自動洗濯機（Ｈａｉｅｒ社製、ＪＷ−Ｚ２３Ａ；水量１２Ｌに設定）に、洗剤（ライオン株式会社製、商品名トップクリアリキッド）８．０ｇと、各例の液体洗浄剤８．０ｇと、浴比３０倍となるように綿シャツ（ＢＶＤ社製、綿１００％）と、をそれぞれ投入し、標準コースで洗浄した。かかる標準コースによる洗浄を５回繰り返した後、クリーンベンチで室温にて２４時間乾燥した綿シャツを試験布とした。
【００９１】
前記の試験布について、ＪＩＳ  Ｌ１９０２（繊維製品の抗菌性試験方法・抗菌効果）の定量試験法（菌液吸収法）に準じ、下式（ｉ）により静菌活性値を求めた。
静菌活性値＝（Ｍｂ−Ｍａ）−（Ｍｄ−Ｍｃ）  ・・・（ｉ）
Ｍａ：試験菌接種直後の標準布の３検体の生菌数の常用対数値の平均値。
Ｍｂ：試験菌接種後の標準布の３５℃、１８時間培養後の３検体の生菌数の常用対数値の平均値。
Ｍｃ：試験菌接種直後の試験布の３検体の生菌数の常用対数値の平均値。
Ｍｄ：試験菌接種後の試験布の３５℃、１８時間培養後の３検体の生菌数の常用対数値の平均値。
標準布：綿シャツ（ＢＶＤ社製、綿１００％）。
試験菌：黄色ブドウ球菌。
そして、式（ｉ）により求めた静菌活性値を指標として、下記の評価基準に従い、抗菌効果の評価を行った。
評価基準
◎：静菌活性値が３．０以上。
○：静菌活性値が１．５以上３．０未満。
△：静菌活性値が０．５以上１．５未満。
×：静菌活性値が０．５未満。
【００９２】
【表１】
0006399704.tif 000015
【００９３】
【表２】
0006399704.tif 000016
【００９４】
表１〜２に示す結果から、本発明を適用した実施例１〜２１の液体洗浄剤は、本発明の範囲外である比較例１〜４の液体洗浄剤に比べて、洗浄力の向上が図られ、かつ、抗菌効果に優れることが確認できた。